(57)【特許請求の範囲】
【請求項１】
連続的に供給され熱硬化性樹脂が含浸された引き揃え無機繊維束内の所定位置に、連続的に供給される電波吸収部材を配設するとともに、この電波吸収部材が配設された無機繊維束を加熱した所望の金型に導入し、適宜な引き抜き手段により引き抜くことで電波吸収棒体を成型し、この得られた電波吸収棒体を所定長に切断することを特徴とする電波吸収棒体の製造方法。
【請求項２】
建物の壁面に設けられるものであって、請求項１記載の電波吸収棒体の製造方法により製造された電波吸収棒体が、適宜な支持部材に所定ピッチで並設状態に固着され、更に、吸収しようとする電波に対して下記数１による幅長の空間にコンクリートを充填して成るコンクリート部を介して所定ピッチでステンレス製の棒体を並設状態で固着したことを特徴とする電波吸収体。
記
【数１】
0003736668.tif 000004
【発明の詳細な説明】
【０００１】
【発明の属する技術分野】
本発明は、電波吸収機能を備えた電波吸収棒体の製造方法及び電波吸収体に関するものである。
【０００２】
【従来の技術及び発明が解決しようとする課題】
電波塔などの送信アンテナから発射されたテレビ電波は、各家庭の受信アンテナを介して各家庭のテレビに画像を付与してくれるが、近年、この画像不良、即ち、受信障害が問題となっている。
【０００３】
この受信障害としては、具体的にはゴースト（二重像，三重像)，スノーノイズ（映像に点々が付されたようになり、不鮮明な映像となる。)，画像ブレなどが挙げられる。
【０００４】
ところで、この受信障害はその原因によって遮閉障害と反射障害との二つに区分される。
【０００５】
遮閉障害とは、送信アンテナからのテレビ電波が、建物などによって遮られて弱まり、テレビ画像にスノーノイズや画像ブレが生じる障害のことである。
【０００６】
また、反射障害とは、送信アンテナから直接各家庭の受信アンテナに入力される直接波と建物などに衝突反射して受信アンテナに入力される反射波との到達時間の差によりテレビ画像に、直接波による像と該直接波による像に隣接して薄い像（ゴースト）が現出し、二重像が生じる障害のことである。
【０００７】
これまで、上記遮閉障害は共同受信アンテナの設置やＣＡＴＶ化で対応しており、また、反射障害は、建物に電波吸収壁を採用することで対応している。
【０００８】
ところで、上記電波吸収壁には、フェライト型電波吸収壁と抵抗膜型電波吸収壁とがあり、フェライト型電波吸収壁は、内部にフェライト（具体的には鉄筋）を配設しておき、テレビ電波を当該鉄筋に衝突させ、電流，磁界及び熱を発生させることでテレビ電波を微弱な熱に変換しようとするものである。
【０００９】
また、抵抗膜型電波吸収壁は、特定抵抗値の部材と金属の反射体（具体的には鉄筋）とをテレビ電波の波長の１／４の距離をおいて設置するもので、テレビ電波がこの特定抵抗値の部材に衝突すると、一部は透過し、一部は表面反射し、この透過したテレビ電波は、金属の反射体で反射後、この反射波は再び特定抵抗値の部材に衝突し、一部は透過し、一部は反射し、これを繰り返すことで両者間においてテレビ電波は徐々に微弱となり、外部へ出る反射波は減衰消失されることになる（図４参照)。尚、図４中において、特定抵抗値の部材の左側に現出する透過波は夫々位相差により打ち消し合うことになる。
【００１０】
これまで提案されている抵抗膜型電波吸収壁は、一般には、特定抵抗値の部材として炭素繊維から成る抄紙をポリエステルフィルム等でラミネートしたシートをエポキシモルタルなどで形成した板状体と反射体が内在されたコンクリートモルタル板状体とで挟み込んだ構造で、該抄紙と反射体とは目的電波の波長の１／４の距離をおいて配設される（以下、従来例という。)。
【００１１】
しかしながら、この従来例は、電気抵抗の変化を可及的に阻止する為の防水性を確保する手段である上記した炭素繊維から成る抄紙をポリエステルフィルム等でラミネートする工程、及びエポキシモルタルなどで形成した板状体との積層工程等が必須となり（両者の剥離が生じないようにしなければならず、積層工程は厄介である。)、製造効率が劣るという問題点がある。また、更に、従来例は積層面が平坦でないと抄紙と反射体との距離が変化して精度が劣悪となり、この点において高品質なものを製造しにくいという問題点がある。
【００１２】
本発明はこのような問題点を解決した電波吸収棒体の製造方法及び電波吸収体を提供するものである。
【００１３】
【課題を解決するための手段】
添付図面を参照して本発明の要旨を説明する。
【００１４】
連続的に供給され熱硬化性樹脂２が含浸された引き揃え無機繊維束１内の所定位置に、連続的に供給される電波吸収部材３を配設するとともに、この電波吸収部材３が配設された無機繊維束１を加熱した所望の金型４に導入し、適宜な引き抜き手段８により引き抜くことで電波吸収棒体５を成型し、この得られた電波吸収棒体５を所定長に切断することを特徴とする電波吸収棒体の製造方法に係るものである。
【００１５】
また、建物11の壁面に設けられるものであって、請求項１記載の電波吸収棒体の製造方法により製造された電波吸収棒体５が、適宜な支持部材６に所定ピッチで並設状態に固着され、更に、吸収しようとする電波に対して下記数１による幅長の空間にコンクリートを充填して成るコンクリート部を介して所定ピッチでステンレス製の棒体６ａを並設状態で固着したことを特徴とする電波吸収体に係るものである。
【００１６】
記
【数１】
0003736668.tif 000002
【００１７】
【発明の作用及び効果】
本発明は、電波吸収部材３が熱硬化性樹脂により囲繞された電波吸収棒体５が得られる為、総本数及び配設ピッチを考慮して、例えば枠体に該電波吸収棒体５を単に固着するだけで、防水性に秀れた電波吸収体を効率的に量産し得ることになる。
【００１８】
更に、本発明は、引抜成形法を採用するため、この点においても電波吸収体の量産性が向上する。
【００１９】
更に、本発明に係る電波吸収棒体５は所定の剛性を有する為、枠体等の所定位置に正確に固着し得ることになり、この点において高品質の電波吸収体を得ることが可能となる。
【００２０】
【発明の実施の形態】
図面は本発明の一実施例を図示したもので以下に説明する。
【００２１】
図１に図示したように、引き揃えられた無機繊維束１としてのガラス繊維束を連続的に供給し、熱硬化性樹脂２としてのビニルエステル樹脂を該ガラス繊維束に含浸させる。
【００２２】
また、電波吸収部材３としては特定抵抗値の炭素繊維からなる幅８ｍｍの抄紙を連続的に供給する。
【００２３】
上記樹脂を含浸させたガラス繊維束をロール７に当接させて開繊させ金型４に導入するとともに、上記抄紙を該ガラス繊維束の中央に位置するように金型４（１００〜１５０°Ｃに加熱）に導入し、適宜な引き抜き手段８により引き抜くことで断面矩形の電波吸収棒体５を得、この電波吸収棒体５を長さ４ｍ毎に切断部材９により切断する。尚、この電波吸収棒体５の端面には適宜な防水手段を施す。
【００２４】
このようにして得られた図２に示す電波吸収棒体５を矩型の適宜な支持部材６に所望ピッチで適宜な接着剤等により固着して電波吸収性を得る（図３参照)。具体的には、ステンレス製の周壁６ｂ間に電波吸収棒体５が架設されるとともに底側に反射体としてのステンレス製の棒体６ａが架設されたものである。尚、この周壁６ｂの高さは目的電波の１／４波長の長さ（実際には、下記数１の長さ）に設定されている。
【００２５】
【数１】
0003736668.tif 000003
【００２６】
この反射体付の電波吸収体を適宜な型枠10上に配設し、該型枠10内にコンクリートを充填することによって目的電波を吸収する電波吸収壁が得られることになる。符号12は表面材である。
【００２７】
このようにして得られた電波吸収壁を図４に図示したように配設した建物11においては反射波が確実に減少することになる。
【００２８】
本実施例は上述のように構成したから、従来例に比し、防水性に秀れた電波吸収体を効率的に量産し得ることになる。
【００２９】
また、従来例はエポキシモルタルやコンクリートモルタルにより板状体を成形するためエポキシモルタル等の硬化時間が必須となり、この点においても量産性が不適となるが、本実施例はこの点においても量産性に秀れたものとなる。
【００３０】
また、電波吸収棒体を金型により一本一本製造することも考えられるが、量産性において現実的ではない。この点、本実施例は引き抜き成形により電波吸収棒体を連続的に製造するため、この点においても本実施例は量産性において極めて秀れたものとなる。
【００３１】
更に、本実施例の電波吸収棒体５は所定の剛性を有し、且つ断面矩形である為、適宜な支持部材６の周壁６ｂ間の所定位置に正確に配設でき、それだけ高品質の電波吸収壁を得ることが可能となる。
【図面の簡単な説明】
【図１】  本実施例の工程説明図である。
【図２】  本実施例の電波吸収棒体の断面図である。
【図３】  本実施例の電波吸収体の説明図である。
【図４】  本実施例の電波吸収壁の使用状態の説明図である。
【符号の説明】
１  無機繊維束
２  熱硬化性樹脂
３  電波吸収部材
４  金型
５  電波吸収棒体
６  適宜な支持部材
６ａ 棒体
８ 適宜な引き抜き手段
11 建物
【図１】
0003736668.tif 000005
【図２】
0003736668.tif 000006
【図３】
0003736668.tif 000007
【図４】
0003736668.tif 000008